(57)【要約】【課題】ボウル面の洗浄性能と溜水の攪拌性能を高めることができると共に、意匠性を向上させることができる水洗大便器を提供する。【解決手段】本発明の水洗大便器１は、リム部１８と、汚物受け面１４と、棚部１６と、備えたボウル部６と、このボウル部の下方に接続されて汚物を排出する排水路８と、ボウル部の棚部上に洗浄水を吐水して旋回流ｆ１を形成する第１吐水部２０と、ボウル部の棚部上に旋回流の旋回方向と同一方向に洗浄水ｆ２を吐水する第２吐水部２２と、洗浄水源１０から供給された洗浄水を第１吐水部及び第２吐水部のそれぞれに導く第１通水路２６及び第２通水路２８と、を有し、第１吐水部は、ボウル部の前後方向の中心に対して一方側のボウル部のボウル面Ｓの曲率半径が大から小に変化する位置Ｐ２の近傍に配置され、第２吐水部は、他方側のボウル部のボウル面の曲率半径が大から小に変化する位置Ｐ２の近傍に配置されている。【選択図】図５
2019065529.tif 000002
【特許請求の範囲】
【請求項１】
洗浄水源から供給される洗浄水によって洗浄されて汚物を排出する水洗大便器であって、
上縁を形成するリム部と、汚物を受ける汚物受け面と、この汚物受け面と上記リム部との間に形成された棚部と、備え、ボウル形状のボウル面を形成し、このボウル面の下方に溜水が形成されるボウル部と、
このボウル部の下方にその入口が接続されて汚物を排出する排水路と、
上記ボウル部の棚部上に洗浄水を吐水して、旋回流を形成する第１吐水部と、
上記ボウル部の棚部上に上記旋回流の旋回方向と同一方向に洗浄水を吐水する第２吐水部と、
上記洗浄水源から供給された洗浄水を上記第１吐水部に導く第１通水路と、
上記洗浄水源から供給された洗浄水を上記第２吐水部に導く第２通水路と、を有し、
上記第１吐水部は、上記ボウル部の前後方向の中心に対して一方側の上記ボウル部のボウル面の曲率半径が大から小に変化する位置の近傍に配置され、
上記第２吐水部は、上記ボウル部の前後方向の中心に対して他方側の上記ボウル部のボウル面の曲率半径が大から小に変化する位置の近傍に配置され、
上記第１吐水部及び上記第２吐水部は、それぞれの周方向下流側の上記ボウル部のボウル面の曲率半径が小となる位置の上記棚部上に向かって吐水可能に構成されていることを特徴とする水洗大便器。
【請求項２】
上記第２吐水部は、上記ボウル部内の溜水面の後端よりも前方に配置されている請求項１記載の水洗大便器。
【請求項３】
上記第２吐水部は、後方に向かって開口している請求項２記載の水洗大便器。
【請求項４】
上記第２通水路は、上流側から上記ボウル部の前方に向かって形成された後、後方に向かってＵターンして上記第２吐水部に連通するように形成されている請求項２又は３に記載の水洗大便器。
【請求項５】
上記第２通水路は、その後方側の入口から上記リム部の内部を前方に向かって延びる外側通水路と、この外側通水路の下流側から内側に屈曲する屈曲通水路と、この屈曲通水路から後方に向かって上記第２吐水部まで延びる内側通水路と、を備えている請求項４記載の水洗大便器。
【請求項６】
上記外側通水路、上記屈曲通水路、及び、上記内側通水路のそれぞれは、その上流側の通水路よりも流路断面積が小さい請求項５記載の水洗大便器。
【請求項７】
上記外側通水路、上記屈曲通水路、及び、上記内側通水路のそれぞれは、その上流側の通水路よりも横幅寸法が小さい請求項６記載の水洗大便器。
【請求項８】
上記第２吐水部の流路断面積は、上記第１吐水部の流路断面積よりも小さく設定されている請求項４記載の水洗大便器。
【請求項９】
上記第２吐水部の横幅寸法は、上記第１吐水部の横幅寸法よりも小さく設定されている請求項８記載の水洗大便器。
【請求項１０】
上記第２吐水部の横幅寸法は、上記第２吐水部の縦幅寸法よりも小さく設定されている請求項５乃至７の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１に記載されているように、ボウル面を広く洗浄するために、２つの吐水部からボウル面に沿って同一方向に洗浄水を吐出するものが知られている。これにより、ボウル面に吐水された洗浄水が、少ない洗浄水量であっても、ボウル面を旋回する洗浄水の旋回流が、終端部まで十分に行き渡らせることが可能となっている。
また、従来の水洗大便器においては、一般的には、ボウル面が平面視において楕円形状又は卵形に形成されており、ボウル面の前端と後端の領域は曲率半径が小さく、平面視で右側（一方側）と左側（他方側）の領域は曲率半径が大きくなっている。
さらに、上述した特許文献１に記載されている従来の水洗大便器においては、便器本体の前方から見て右側（一方側）の第１吐水部が、ボウル面の小さな曲率半径から大きな曲率半径に変化する位置の近傍に配置されている。また、便器本体の前方から見て左側（他方側）の第２吐水部は、ボウル面の大きな曲率半径から小さな曲率半径に変化する位置の近傍に配置されている。これらの２つの吐水部の配置により、ボウル面の洗浄性能の最適化が図られている。そして、少ない洗浄水量であってもボウル面の洗浄性能を確保することができるようになっている。
【先行技術文献】
【特許文献】
【０００３】
【特許文献１】特許第４２８４７０３号公報（特開２００６−１０４９３６号公報）
【発明の概要】
【発明が解決しようとする課題】
【０００４】
しかしながら、上述した特許文献１に記載されている従来の水洗大便器においては、ボウル面の全体の洗浄性能は向上している反面、洗浄水がボウル面を広く旋回することになる。このため、洗浄水の流れのエネルギーロスが大きく、特に、ボウル面の曲率が大きい部分（曲率半径が小さい部分）では、洗浄水が十分に旋回することができずにボウル内の溜水に落下してしまうという問題がある。
したがって、ボウル面に供給された洗浄水は、汚物を含む溜水を十分に攪拌することができないことに加えて、洗浄水による溜水から排水路への押し込み力も不足してしまうという問題がある。よって、ボウル内の汚物は、洗浄工程後の溜水内に残存してしまうおそれがあるという問題がある。
さらに、上述した特許文献１に記載されている従来の水洗大便器においては、２つの吐水部が便器本体の後方側に配置されている。また、これらの２つのリム吐水部は、汚れが付着しやすい部位であるにもかかわらず、使用者から容易に視認できる状態となっている。よって、使用者に対して不快感を与えるおそれがあるという問題もある。
したがって、特に、近年の節水型の水洗大便器においては、いかに洗浄性能を向上させつつ、使用者に不快感を与えない便器本体の外観の意匠性を高めるかが要請された課題となっている。
【０００５】
そこで、本発明は、上述した従来技術の問題や課題を解決するためになされたものであり、ボウル面の洗浄性能と溜水の攪拌性能を高めることができると共に、意匠性を向上させることができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、上縁を形成するリム部と、汚物を受ける汚物受け面と、この汚物受け面と上記リム部との間に形成された棚部と、備え、ボウル形状のボウル面を形成し、このボウル面の下方に溜水が形成されるボウル部と、このボウル部の下方にその入口が接続されて汚物を排出する排水路と、上記ボウル部の棚部上に洗浄水を吐水して、旋回流を形成する第１吐水部と、上記ボウル部の棚部上に上記旋回流の旋回方向と同一方向に洗浄水を吐水する第２吐水部と、上記洗浄水源から供給された洗浄水を上記第１吐水部に導く第１通水路と、上記洗浄水源から供給された洗浄水を上記第２吐水部に導く第２通水路と、を有し、上記第１吐水部は、上記ボウル部の前後方向の中心に対して一方側の上記ボウル部のボウル面の曲率半径が大から小に変化する位置の近傍に配置され、上記第２吐水部は、上記ボウル部の前後方向の中心に対して他方側の上記ボウル部のボウル面の曲率半径が大から小に変化する位置の近傍に配置され、上記第１吐水部及び上記第２吐水部は、それぞれの周方向下流側の上記ボウル部のボウル面の曲率半径が小となる位置の上記棚部上に向かって吐水可能に構成されていることを特徴としている。
このように構成された本発明においては、洗浄水源から供給された洗浄水は、第１通水路により第１吐水部に導かれると共に、第２通水路により第２吐水部に導かれる。そして、第１吐水部及び第２吐水部のそれぞれから棚部上に洗浄水が吐水される。
ここで、一般的には、ボウル部のボウル面の曲率半径が比較的小さい位置の棚部上に沿って流れる洗浄水の流れは、ボウル部のボウル面の曲率半径が比較的大きい位置の棚部上に沿って流れる場合に比べて、急激な方向転換が強いられることになり、洗浄水の流れのエネルギーロスが大きくなる。
しかしながら、本発明によれば、第１吐水部については、ボウル部の前後方向の中心に対して一方側のボウル部のボウル面の曲率半径が大から小に変化する位置の近傍に配置されているため、第１吐水部から吐水された洗浄水は、吐水直後の比較的大きなエネルギーが維持された状態で、棚部上を周方向下流側に流れる。これにより、この比較的大きなエネルギーが維持された状態の洗浄水について、第１吐水部の周方向下流側のボウル部のボウル面の曲率半径が小となる位置（例えば、ボウル部のボウル面の前端付近）の棚部上に供給することができる。そして、このようなボウル部のボウル面の曲率半径が小となる位置（例えば、ボウル部のボウル面の前端付近）の棚部上の洗浄水について、ボウル面の周方向下流側（例えば、ボウル部のボウル面の周方向後方側）に確実に旋回させることができ、その後、ボウル面の全周に亘って下流側に旋回させることができる。
一方、第２吐水部についても、ボウル部の前後方向の中心に対して他方側のボウル部のボウル面の曲率半径が大から小に変化する位置の近傍に配置されているため、第２吐水部から吐水された洗浄水は、吐水直後の比較的大きなエネルギーが維持された状態で、棚部上を周方向下流側に流れる。これにより、この比較的大きなエネルギーが維持された状態の洗浄水について、第２吐水部の周方向下流側のボウル部のボウル面の曲率半径が小となる位置（例えば、ボウル部のボウル面の後端付近）の棚部上に供給することができる。
そして、第２吐水部から吐水された洗浄水の大半については、ボウル部のボウル面の曲率半径が小となる位置（例えば、ボウル部のボウル面の後端付近）から周方向下流側に旋回した後、ボウル部内の溜水に向けて落し込む流れを形成することができる。これにより、第２吐水部の下流側のボウル面を洗浄した後、ボウル部内の溜水を強力に攪拌することができる。
同時に、第２吐水部から吐水された洗浄水の一部については、ボウル部のボウル面の曲率半径が小となる位置（例えば、ボウル部のボウル面の後端付近）において洗浄水の流れを確実に失速させて、ボウル部内の溜水に向けて落とし込む流れを形成することができる。これにより、第２吐水部の下流側のボウル面を洗浄した後、ボウル部内の溜水を効率良く強力に攪拌することができる。
したがって、第１吐水部から吐水された洗浄水により、ボウル面の全周を確実に旋回してボウル面の全域を確実に洗浄することができる。同時に、第２吐水部から吐水された洗浄水により、第２吐水部の下流側のボウル面を確実に洗浄した後、ボウル部内の溜水を確実に強力に攪拌することができる。
さらに、第１吐水部について、ボウル部の前後方向の中心に対して一方側のボウル部のボウル面の曲率半径が大から小に変化する位置の近傍に配置すると共に、第２吐水部について、ボウル部の前後方向の中心に対して他方側のボウル部のボウル面の曲率半径が大から小に変化する位置の近傍に配置したことにより、例えば、第１吐水部についてボウル部の前後方向の中心に対して一方側のボウル部の前方寄りの位置に配置することができると共に、第２吐水部についてボウル部の前後方向の中心に対して他方側のボウル部の側方寄りの位置に配置することができる。
したがって、水洗大便器の前方の使用者に対して、ボウル部内の第１吐水部及び第２吐水部のそれぞれが見え難くなるため、意匠性を向上させることができる。
以上より、第１吐水部及び第２吐水部の２つの吐水部により、ボウル部のボウル面の洗浄性能と溜水の攪拌性能を高めることができると共に、意匠性を向上させることができる水洗大便器を提供することができる。
【０００７】
本発明において、好ましくは、上記第２吐水部は、上記ボウル部内の溜水面の後端よりも前方に配置されている。
このように構成された本発明においては、第２吐水部がボウル部内の溜水面の後端よりも前方に配置されているため、第２吐水部からボウル部のボウル面の曲率半径が小となる位置（例えば、ボウル部のボウル面の後端付近）までの区間において、ボウル面の曲率半径を比較的大きく確保することができると共に、棚部に沿ってある程度の距離を確保することができる。
したがって、第２吐水部から吐水された直後の洗浄水について、ボウル面の曲率半径が比較的大きい部分の棚部を通過させて、比較的大きなエネルギーが維持された状態で、ボウル面の曲率半径が小となる位置（例えば、ボウル部のボウル面の後端付近）に供給することができる。
よって、第２吐水部から吐水された洗浄水について、ボウル面の曲率半径が小となる位置（例えば、ボウル部のボウル面の後端付近）のリム部等に勢い良くぶつけて、ボウル部内の溜水に向けて跳ね返すことができるため、ボウル部内の溜水をより確実に攪拌させることができる。
また、第２吐水部がボウル部内の側方に配置することができるため、水洗大便器の前方の使用者から第２吐水部を見え難くすることができ、意匠性をより向上させることができる。
【０００８】
本発明において、好ましくは、上記第２吐水部は、後方に向かって開口している。
このように構成された本発明においては、仮に、第２吐水部が後方以外の方向（例えば、側方等）に向かって開口していた場合、第２吐水部から吐水された洗浄水は、後方側に旋回することなく、ボウル部内の溜水面に直接流れ落ちてしまうことになる。しかしながら、本発明によれば、第２吐水部が後方に向かって開口しているため、第２吐水部から吐水された洗浄水について、確実に後方側に差し向けることができる。これにより、第２吐水部から吐水された洗浄水について、棚部上に沿って、ボウル面の曲率半径が小となる位置（例えば、ボウル部のボウル面の後端付近）のリム部等に確実に洗浄水を供給することができる。
また、第２吐水部が後方に向かって開口しているため、水洗大便器の前方の使用者の目に入り難くなり、意匠性をさらに向上させることができる。
【０００９】
本発明において、好ましくは、上記第２通水路は、上流側から上記ボウル部の前方に向かって形成された後、後方に向かってＵターンして上記第２吐水部に連通するように形成されている。
このように構成された本発明以外においては、一般的に、上流側から第２通水路内に流入した洗浄水が、第２通水路の途中で方向転換した後に第２吐水部で吐水され、上流側から第２通水路内に流入する洗浄水の給水方向と、第２吐水部で吐水される洗浄水の吐水方向とが異なる方向となる場合、第２通水路の途中の方向転換の際に、異なる流れ方向の洗浄水が衝突することにより乱流が生じ、洗浄水の流れの無駄なエネルギーロスを生じ易い。
これに対し、上述した本発明によれば、上流側から第２通水路内に流入した洗浄水は、ボウル部の前方に向かって流れた後、後方に向かって滑らかにＵターンして、第２吐水部にスムーズに流れることができる。
したがって、第２通水路内において洗浄水の乱流の発生を抑制し、洗浄水の流れの無駄なエネルギーロスを抑制することができる。よって、第２吐水部から吐水された洗浄水について、確実にボウル面の後方側に旋回させることができると共に、ボウル部内の溜水をさらに確実に攪拌させることができる。
【００１０】
本発明において、好ましくは、上記第２通水路は、その後方側の入口から上記リム部の内部を前方に向かって延びる外側通水路と、この外側通水路の下流側から内側に屈曲する屈曲通水路と、この屈曲通水路から後方に向かって上記第２吐水部まで延びる内側通水路と、を備えている。
このように構成された本発明においては、上流側から第２通水路内に流入した洗浄水は、外側通水路内を前方に向かって流れた後、屈曲通水路により後方に向かって滑らかにＵターンして、内側通水路から第２吐水部にスムーズに流れることができる。
したがって、第２通水路内において洗浄水の乱流の発生を抑制し、洗浄水の流れの無駄なエネルギーロスを抑制することができる。よって、第２吐水部から吐水された洗浄水について、確実にボウル面の後方側に旋回させることができると共に、ボウル部内の溜水をさらにより確実に攪拌させることができる。
【００１１】
本発明において、好ましくは、上記外側通水路、上記屈曲通水路、及び、上記内側通水路のそれぞれは、その上流側の通水路よりも流路断面積が小さい。
このように構成された本発明においては、外側通水路、屈曲通水路、及び、内側通水路のそれぞれが、その上流側の通水路よりも流路断面積が小さいため、第２通水路は、上流側の外側通水路から屈曲通水路を経た後、下流側の内側通水路から第２吐水部まで下流側の流路程、流路断面を狭くすることができる。
したがって、洗浄水が上流側から第２通水路内に流入してから第２吐水部で吐水されるまでの第２通水路内の洗浄水の流れを縮流させて、整流化することができる。
また、第２吐水部から流速を高めた状態で洗浄水を勢いよく吐水し、ボウル面の曲率半径が小となる位置（例えば、ボウル部のボウル面の後端付近）に供給することができるため、第２吐水部から吐水された洗浄水をさらにより確実にボウル面の後方側に旋回させることができると共に、ボウル部内の溜水に洗浄水を供給して、溜水をさらにより確実に強力に攪拌することができる。
【００１２】
本発明において、好ましくは、上記外側通水路、上記屈曲通水路、及び、上記内側通水路のそれぞれは、その上流側の通水路よりも横幅寸法が小さい。
このように構成された本発明においては、外側通水路、屈曲通水路、及び、内側通水路のそれぞれが、その上流側の通水路よりも横幅寸法が小さいため、第２通水路は、上流側の外側通水路から屈曲通水路を経た後、下流側の内側通水路から第２吐水部まで下流側に向かって徐々に流路断面により狭くすることができる。
したがって、リム部の内部に形成される第２通水路に要する横幅方向のスペースを抑制することができるため、リム部の内部の限られたスペースに第２通水路を効率よく形成することができる。これにより、上流側から第２通水路内に流入した洗浄水について、外側通水路から屈曲通水路を経て内側通水路までに縮流させて、滑らかにＵターンさせることができ、第２吐水部において勢いよく吐水させることができる。
【００１３】
本発明において、好ましくは、上記第２吐水部の流路断面積は、上記第１吐水部の流路断面積よりも小さく設定されている。
このように構成された本発明においては、第２吐水部の流路断面積が第１吐水部の流路断面積よりも小さく設定されているため、第１通水路内の洗浄水を第１吐水部から比較的大流量で吐水してボウル面を全周に亘って旋回させてボウル面の全域を確実に洗浄することができる。同時に、第２通水路内の洗浄水を第２吐水部から比較的小流量で勢いよく吐水することができ、ボウル部内の溜水に確実に供給して強力に攪拌することができる。
【００１４】
本発明において、好ましくは、上記第２吐水部の横幅寸法は、上記第１吐水部の横幅寸法よりも小さく設定されている。
このように構成された本発明においては、第１吐水部については、ボウル部の前後方向の中心に対して一方側のボウル部のボウル面の曲率半径が大から小に変化する位置の近傍（例えば、ボウル部の前後方向の中心に対して一方側のボウル部の前方寄りの位置）に配置されていることにより、水洗大便器の前方の使用者から見え難いため、第１吐水部の横幅寸法を比較的大きく設定することができる。
したがって、第１通水路内及び第１吐水部の外周側の面に沿って流れる洗浄水量を比較的大きく設定することができ、遠心力を高めることができる。よって、第１吐水部から吐水された洗浄水について、ボウル面の全周亘って確実に旋回させることができる。
一方、第２吐水部については、ボウル部の前後方向の中心に対して他方側のボウル部のボウル面の曲率半径が大から小に変化する位置の近傍（例えば、ボウル部の前後方向の中心に対して他方側のボウル部の側方寄りの位置）に配置されているため、第２吐水部の横幅寸法を第１吐水部の横幅寸法よりも小さく設定することにより、第２吐水部の流路断面形状を縦長に設定することができる。
したがって、第２吐水部について、水洗大便器の前方の使用者に対して目に付き難くすることができる。
【００１５】
本発明において、好ましくは、上記第２吐水部の横幅寸法は、上記第２吐水部の縦幅寸法よりも小さく設定されている。
このように構成された本発明においては、第２吐水部の横幅寸法が第２吐水部の縦幅寸法よりも小さく設定されているため、第２吐水部の断面形状を縦長に設定することができる。
したがって、第２吐水部について、水洗大便器の前方の使用者に対して目に付き難くすることができる。
【発明の効果】
【００１６】
本発明の水洗大便器によれば、ボウル面の洗浄性能と溜水の攪拌性能を高めることができると共に、意匠性を向上させることができる。
【図面の簡単な説明】
【００１７】
【図１】本発明の一実施形態による水洗大便器の概略平面図である。
【図２】図１のＩＩ−ＩＩ線に沿った断面図である。
【図３】図１のＩＩＩ−ＩＩＩ線に沿った断面図である。
【図４】図１のＩＶ−ＩＶ線に沿った断面図である。
【図５】本発明の一実施形態による水洗大便器について前方且つ斜め上方から見た斜視図である。
【図６】本発明の一実施形態による水洗大便器の平面視のボウル部内のボウル面の形状（ボウル面の曲率半径）を概略的に説明した図である。
【図７】本発明の一実施形態による水洗大便器の第２リム通水路の部分を拡大した部分拡大平面図である。
【図８】図８の（Ａ）及び（Ｂ）は、図６に示す第１リム通水路のＡ断面及びＢ断面をそれぞれ示す断面図であり、図８の（Ｃ）〜（Ｇ）は、図７に示す第２リム通水路のＣ断面〜Ｇ断面をそれぞれ示す断面図である。
【図９】本発明の一実施形態による水洗大便器のボウル部内の洗浄水の流れを概略的に説明した概略平面図である。
【図１０】本発明の一実施形態による水洗大便器のボウル部内の洗浄水の流れを概略的に説明した概略正面断面図である。
【発明を実施するための形態】
【００１８】
つぎに、図１〜図１０を参照して、本発明の一実施形態による水洗大便器について説明する。
まず、図１は、本発明の一実施形態による水洗大便器の概略平面図である。
図１に示すように、本発明の一実施形態による水洗大便器１は、陶器製の便器本体２を備えている。この便器本体２は、上流側から下流側に向かって、導水路４と、ボウル形状のボウル部６と、排水トラップ管路８とを備えている。
なお、便器本体２については、陶器製以外の樹脂製等であってもよい。
【００１９】
つぎに、図１に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）や便器本体２への給水機能に関与する給水系機能部等の機能部（図示せず）も設けられていてもよいが、これらについても、従来の水洗大便器の構造と同様であるため、具体的な説明については省略する。
【００２０】
つぎに、図１に示すように、本発明の一実施形態による水洗大便器１は、便器洗浄に使用される洗浄水を貯水して便器本体２へ給水する洗浄水源である重力給水式の貯水タンク１０を備えており、便器本体２のボウル部６内の水の落差による流水作用で汚物を押し流す、いわゆる、「洗い落し式の水洗大便器」である。
なお、本実施形態では、便器本体２へ洗浄水を供給する洗浄水源としては、上述した重力給水式の貯水タンク１０のようなタンク式の形態に限定されず、他の形態でも適用可能である。すなわち、便器本体２へ洗浄水を供給する洗浄水源として、水道水の給水圧を直接利用した水道直圧式の形態やフラッシュバルブ式の形態であってもよいし、或いは、ポンプの補圧を利用して洗浄水を供給する形態であってもよい。
【００２１】
つぎに、図２は、図１のＩＩ−ＩＩ線に沿った断面図であり、図３は、図１のＩＩＩ−ＩＩＩ線に沿った断面図であり、図４は、図１のＩＶ−ＩＶ線に沿った断面図である。
また、図５は、本発明の一実施形態による水洗大便器について前方且つ斜め上方から見た斜視図である。
なお、図２〜図５においては、本実施形態の水洗大便器１の便器本体２の外形部分や貯水タンク１０については省略し、詳細は後述する便器本体２のボウル部６、導水路４、及び、排水トラップ管路８等の便器本体２の主要部分のみを図示している。
【００２２】
ここで、図１に示す本発明の一実施形態による水洗大便器１においては、便器本体２のボウル部６の平面視において、ボウル部６を前後方向に二等分するように水平左右方向に延びる中心軸線を「Ｘ」で示し、ボウル部６を左右方向に二等分するように水平前後方向に延びる中心軸線を「Ｙ」で示している。
また、図１では、中心軸線Ｘ，Ｙの互いの交点を平面視のボウル部６の中心Ｏとし、この中心Ｏを通る鉛直方向に延びる中心軸線を「Ｚ」で示している。
これらにより、図２及び図３に示す本発明の一実施形態による水洗大便器１においては、便器本体２のボウル部６の側面視において、ボウル部６を前後方向に二等分するように鉛直方向に延びる中心軸線を「Ｚ」で示している。
さらに、図１〜図３に示すように、水洗大便器１の前後左右の方向については、「前」、「後」、「左」、「右」でそれぞれ示している。
そして、図１〜図３に示すように、水洗大便器１のボウル部６における中心Ｏ、水平左右方向に延びる中心軸線Ｘ、及び、鉛直方向に延びる中心軸線Ｚに対して、前方側、後方側のそれぞれの領域について、「前方側領域Ｆ」、「後方側領域Ｂ」とそれぞれ定義している。
さらに、図１に示すように、水洗大便器１のボウル部６における中心Ｏ、水平前後方向に延びる中心軸線Ｙに対して、前方から見て左側、右側のそれぞれの領域について、「左側領域Ｌ」、「右側領域Ｒ」とそれぞれ定義している。
【００２３】
つぎに、図１〜図５に示すように、便器本体２の上流側に位置する導水路４は、ボウル部６の後方側に形成され、貯水タンク１０から供給された洗浄水をボウル部６に導くようになっている。
また、図１〜図５に示すように、便器本体２の導水路４の下流側に位置するボウル部６は、下方から上方に向かって、凹部１２、汚物受け面１４、棚部１６、及び、リム部１８を備えている。
【００２４】
まず、ボウル部６の凹部１２は、ボウル部６の下方に凹状に形成されており、溜水Ｗ０が収容される溜水部にようになっている。
つぎに、ボウル部６の汚物受け面１４は、凹部１２の上縁からボウル状に形成されており、汚物を受ける面となっている。
ここで、図１〜図５に示すように、ボウル面Ｓについては、汚物受け面１４から凹部１２にかけて下方に屈曲しており、凹部１２は、その屈曲を開始した地点を汚物受け面１４との境界としている。
なお、図１〜図５では、汚物受け面１４と凹部１２との境界線を「Ｍ」とする。すなわち、この境界線Ｍは、凹部１２の上縁に相当すると共に、汚物受け面１４の内縁かつ下縁に相当している。
また、ボウル部６のリム部１８は、ボウル部６の上縁を形成しており、リム部１８の内周面は、図１に示す平面視において、概ね卵形の形状に形成されている。
さらに、ボウル部６の棚部１６は、汚物受け面１４の外縁とリム部１８の下端との間に形成されている。導水路４内の洗浄水は、詳細は後述する２つのリム吐水口（第１リム吐水口２０及び第２リム吐水口２２）のそれぞれに導かれて吐水された後、棚部１６上に沿って周方向下流側に導かれるようになっている。
【００２５】
つぎに、図１〜図５に示すように、導水路４は、共通通水路２４と、第１リム通水路２６（第１通水路）と、第２リム通水路２８（第２通水路）とを備えている。
まず、共通通水路２４は、貯水タンク１０に接続される後方の入口４ａから前方のボウル部６の背面側近傍まで延びるようにボウル部６の後方側の便器本体２の内部に形成されている。
また、図１、図２、図４及び図５に示すように、第１リム通水路２６は、ボウル部６の背面側近傍で共通通水路２４からボウル部６の一方側（ボウル部６の前方から見て左側）に分岐した後、ボウル部６の外周面を迂回しながら前方に延びて、ボウル部６の前方側領域Ｆ且つ左側領域Ｌの第１リム吐水口２０までリム部１８の内部に形成されている。
さらに、図１及び図３〜図５に示すように、第２リム通水路２８については、詳細は後述するが、ボウル部６の背面側近傍で共通通水路２４からボウル部６の他方側（ボウル部６の前方から見て右側）に分岐した後、ボウル部６の外周面を迂回しながら前方に延びるようにリム部１８の内部に形成されている。その後、ボウル部６の側方付近で後方側にＵターンして、ボウル部６の後方側領域Ｂ且つ右側領域Ｒの第２リム吐水口２２までリム部１８の内部に形成されている。
【００２６】
つぎに、図１〜図５に示すように、便器本体２の下流側に位置する排水トラップ管路８は、ボウル部６の下方から後方に形成され、ボウル部６内の汚物を排出する排水路である。
また、排水トラップ管路８の入口８ａは、ボウル部６の凹部１２の下方に接続されている。そして、排水トラップ管路８は、その入口８ａから下方且つ後方に下降する下降路８ｂと、この下降路８ｂの下流端から上方且つ後方に上昇する上昇路８ｃと、を備えている。
【００２７】
つぎに、図６は、本発明の一実施形態による水洗大便器の平面視のボウル部内のボウル面の形状（ボウル面の曲率半径）を概略的に説明した図である。
まず、図１〜図６に示すように、ボウル部６は、下方から上方に向かって、凹部１２内の底壁面１２ａ及び側壁面１２ｂを含む壁面Ｓ１、汚物受け面１４の全面Ｓ２、棚部１６の表面（棚面）Ｓ３、及び、リム部１８の内周面Ｓ４を備えており、これらの面Ｓ１〜Ｓ４により、ボウル形状のボウル面Ｓを形成している。
また、図６に示すように、ボウル部６の平面視のボウル面Ｓは、概ね卵形形状に形成されている。
さらに、図６に示すように、ボウル部６の平面視のボウル面Ｓの外縁部分θは、代表的には、ボウル部６内の左側領域Ｌと右側領域Ｒのほぼ左右対称に、４つの外縁部分θ１〜θ４を備えている。
【００２８】
まず、図１及び図６に示すように、平面視のボウル面Ｓの第１外縁部分θ１は、ボウル部６内の一方側である左側領域Ｌにおいて、汚物受け面１４の外縁及びリム部１８の内縁（内周面）を部分的に形成している。すなわち、第１外縁部分θ１は、ボウル部６内の左側領域Ｌ且つ後方側領域Ｂに位置する始端位置Ｐ１から、左側領域Ｌ且つ前方側領域Ｆに位置する終端位置Ｐ２に亘って、ほぼ一定の比較的大きい第１曲率半径ρ１で形成されている。
【００２９】
つぎに、図１及び図６に示すように、平面視のボウル面Ｓの第２外縁部分θ２は、ボウル部６内の前方側領域Ｆにおいて、汚物受け面１４の外縁（棚部１６の内縁）及びリム部１８の内縁（内周面）を部分的に形成している。すなわち、第２外縁部分θ２は、ボウル部６内の前方側領域Ｆ且つ左側領域Ｌに位置する始端位置Ｐ２から、前方側領域Ｆ且つ右側領域Ｒに位置する終端位置Ｐ３に亘って、ほぼ一定の比較的小さい第２曲率半径ρ２で形成されている。
ここで、この第２曲率半径ρ２は、第１曲率半径ρ１よりも小さく設定されている（ρ２＜ρ１）。
【００３０】
また、図１及び図６に示すように、平面視のボウル面Ｓの第３外縁部分θ３は、ボウル部６内の他方側である右側領域Ｒにおいて、汚物受け面１４の外縁及びリム部１８の内縁（内周面）を部分的に形成している。すなわち、第３外縁部分θ３は、ボウル部６内の右側領域Ｒ且つ前方側領域Ｆに位置する始端位置Ｐ３から、右側領域Ｒ且つ後方側領域Ｂに位置する終端位置Ｐ４に亘って、ほぼ一定の比較的大きい第３曲率半径ρ３で形成されている。
ここで、この第３曲率半径ρ３は、第１曲率半径ρ１と同一又はほぼ等しく設定され（ρ３≒ρ１）、且つ、第２曲率半径ρ２よりも大きく設定されている（ρ３＞ρ２）。
【００３１】
さらに、図１及び図６に示すように、平面視のボウル面Ｓの第４外縁部分θ４は、ボウル部６内の後方側領域Ｂにおいて、汚物受け面１４の外縁（棚部１６の内縁）及びリム部１８の内縁（内周面）を部分的に形成している。すなわち、第４外縁部分θ４は、ボウル部６内の後方側領域Ｂ且つ右側領域Ｒに位置する始端位置Ｐ４から、後方側領域Ｂ且つ左側領域Ｌに位置する終端位置Ｐ１に亘って、ほぼ一定の比較的小さい第４曲率半径ρ４で形成されている。
ここで、この第４曲率半径ρ４は、第１曲率半径ρ１及び第３曲率半径ρ３よりも小さく設定されているが（ρ４＜ρ１，ρ３）、第２曲率半径ρ２よりも大きく設定されている（ρ４＞ρ２）。
なお、本実施形態では、ボウル部６の平面視のボウル面Ｓの形状について、概ね卵形形状に形成された形態について説明するが、卵形形状とは異なる概ね楕円形状に形成された形態等であってもよい。
【００３２】
つぎに、図１〜図６に示すように、水洗大便器１の第１吐水部である第１リム吐水口２０は、ボウル部６内の前後方向の中心Ｏに対して一方側（左側領域Ｌ且つ前方側領域Ｆ）のボウル面Ｓにおいて、第１外縁部分θ１の終端位置Ｐ１（第２外縁部分θ２の始端位置Ｐ１）の後方側近傍に配置されている。
すなわち、第１リム吐水口２０は、ボウル面Ｓの外縁θの曲率半径ρが比較的大きい第１曲率半径ρ１から比較的小さい第２曲率半径ρ２に変化する位置Ｐ１（曲率半径ρが大から小に変化する位置）の後方側近傍に配置されている。
そして、図１〜図６に示すように、第１リム吐水口２０は、その周方向下流側のボウル部６のボウル面Ｓの外縁部分θの曲率半径ρが最小となる位置、すなわち、ボウル面Ｓの第２外縁部分θ２の曲率半径ρ２となるボウル部６内の前端付近の棚部１６上に向かって吐水可能となっている。
【００３３】
一方、図１〜図６に示すように、水洗大便器１の第２吐水部である第２リム吐水口２２は、ボウル部６内の前後方向の中心Ｏに対して他方側（右側領域Ｒ且つ後方側領域Ｂ）のボウル面Ｓにおいて、第３外縁部分θ３の終端位置Ｐ４（第４外縁部分θ４の始端位置Ｐ４）の前方側近傍に配置されている。
すなわち、第２リム吐水口２２は、ボウル面Ｓの外縁θの曲率半径ρが比較的大きい第３曲率半径ρ３から比較的小さい第４曲率半径ρ４に変化する位置Ｐ４（曲率半径ρが大から小に変化する位置）の前方側近傍に配置されている。
そして、図１〜図６に示すように、第２リム吐水口２２は、その周方向下流側のボウル部６のボウル面Ｓの外縁部分θの曲率半径ρが最小となる位置、すなわち、ボウル面Ｓの第４外縁部分θ４の曲率半径ρ４となるボウル部６内の後端付近の棚部１６上に向かって吐水可能となっている。
【００３４】
つぎに、図１〜図８を参照して、第１リム通水路２６及び第１リム吐水口２０、並びに、第２リム通水路２６及び第２リム吐水口２２の具体的な構造についてさらに説明する。
図７は、本発明の一実施形態による水洗大便器の第２リム通水路の部分を拡大した部分拡大平面図である。また、図８の（Ａ）及び（Ｂ）は、図６に示す第１リム通水路のＡ断面及びＢ断面をそれぞれ示す断面図である。さらに、図８の（Ｃ）〜（Ｇ）は、図７に示す第２リム通水路のＣ断面〜Ｇ断面をそれぞれ示す断面図である。
まず、図１、図２、図４〜図６、並びに、図８の（Ａ）及び（Ｂ）に示すように、第１リム通水路２６の上流側に位置するＡ断面の大きさ（図８の（Ａ）の断面積Ａ１）が、第１リム通水路２６の下流端に位置するＢ断面（第１リム吐水口２０の開口断面に相当）の大きさ（図８の（Ｂ）の断面積Ａ２）よりも大きく設定されている。これにより、第１リム通水路２６は、ボウル部６の後方（上流側）から前方（下流側）の第１リム吐水口２０に向かって、その流路断面の大きさ（断面積）が徐々に小さく設定されている。
【００３５】
つぎに、図５及び図７に示すように、第２リム通水路２８の構造については、概略的には、上流側からボウル部６の前方に向かって形成された後、後方に向かってＵターンして第２リム吐水口２２に連通するように形成されている。
また、第２リム通水路２８の構造について具体的に説明すると、第２リム通水路２８は、上流側から下流側に向かって、入口２８ａと、外側通水路２８ｂと、屈曲通水路２８ｃと、内側通水路２８ｄとを備えている。
まず、図４、図５及び図７に示すように、第２リム通水路２８の外側通水路２８ｂは、その入口２８ａが後方側（上流側）の共通通水路２４に接続され、ボウル部６の外周面を迂回しながら前方に延びて、ボウル部６の前方から見て右側方まで延びるように形成されている。
つぎに、図５及び図７に示すように、第２リム通水路２８の屈曲通水路２８ｃは、外側通水路２８ｂの前端（下流端）から内側に屈曲した後、後方側に屈曲するように形成されている。
また、図４、図５及び図７に示すように、第２リム通水路２８の内側通水路２８ｄは、屈曲通水路２８ｄの後端（下流端）から後方に向かって、その後方（下流側）の第２リム吐水口２２まで延びるように形成されている。
すなわち、図５及び図７に示すように、第２リム通水路２８においては、外側通水路２８ｂの前方部分（下流側部分）から屈曲通水路２８ｃ及び内側通水路２８ｄを経て、その下流端の第２リム吐水口２２までの部分が、平面視でＵ字形形状にターンする部分（Ｕターン部Ｕ）を形成している。
【００３６】
つぎに、図１、図３、及び、図５〜図７に示すように、第２リム吐水口２２の位置Ｑ１は、ボウル部６の凹部１２の後端位置Ｑ２（図７に示す凹部１２内の後壁面１２ｃの上端位置Ｑ２）よりも前方に設定されている。特に、図７に示すように、この凹部１２の後端位置Ｑ２は、汚物受け面１４と凹部１２との境界線Ｍ上の最後端に位置している。
また、図７に示すように、ボウル部６の凹部１２内に収容される溜水Ｗ０の水位（溜水面ＷＬ）については、便器洗浄が開始する前及び便器洗浄が完了した後の待機状態の静水位置を示している。
そして、図７に示すように、第２リム吐水口２２の位置Ｑ１は、平面視において、ボウル部６の凹部１２内に収容される溜水Ｗ０の溜水面ＷＬの後端位置Ｑ３よりも前方に設定されている。
さらに、図１、図３、図５〜図７、及び、図８の（Ｇ）に示すように、第２リム吐水口２２の開口断面（図８の（Ｇ）の断面Ｇ）は、便器本体２の前後方向の後方に向かって差し向けられた状態で開口している。
【００３７】
図８の（Ｃ）〜（Ｅ）に示すように、第２リム通水路２８の外側通水路２８ｂのＣ断面の大きさ（図８の（Ｃ）の断面積Ａ３）及びＤ断面の大きさ（図８の（Ｄ）の断面積Ａ４）は、第２リム通水路２８の屈曲通水路２８ｃのＥ断面の大きさ（図８の（Ｅ）の断面積Ａ５）よりも大きく設定されている（Ａ３＞Ａ４＞Ａ５）。
また、図８の（Ｅ）及び（Ｆ）に示すように、第２リム通水路２８の屈曲通水路２８ｃのＥ断面の大きさ（図８の（Ｅ）の断面積Ａ５）は、第２リム通水路２８の内側通水路２８ｄのＦ断面の大きさ（図８の（Ｆ）の断面積Ａ６）よりも大きく設定されている（Ａ５＞Ａ６）。
さらに、図８の（Ｆ）及び（Ｇ）に示すように、第２リム通水路２８の内側通水路２８ｄのＦ断面の大きさ（図８の（Ｆ）の断面積Ａ６）は、第２リム通水路２８の内側通水路２８ｄの下流端に位置するＧ断面（第２リム吐水口２２の開口断面に相当）の大きさ（図８の（Ｇ）の断面積Ａ７）よりも大きく設定されている（Ａ６＞Ａ７）。
すなわち、第２リム通水路２８の外側通水路２８ｂ、屈曲通水路２８ｃ、内側通水路２８ｄ、及び、第２リム吐水口２２のそれぞれについては、その上流側の通水路よりも流路断面積が小さく設定されており（Ａ３＞Ａ４＞Ａ５＞Ａ６＞Ａ７）、第２リム通水路２８の流路断面積は、概ね下流側程小さく設定されている。
【００３８】
つぎに、図８の（Ｃ）〜（Ｅ）に示すように、第２リム通水路２８の外側通水路２８ｂのＣ断面の最大横幅寸法Ｗ３（図８の（Ｃ）の横幅寸法Ｗ３）及びＤ断面の最大横幅寸法Ｗ４（図８の（Ｄ）の最大横幅寸法Ｗ４）は、第２リム通水路２８の屈曲通水路２８ｃのＥ断面の最大横幅寸法Ｗ５（図８の（Ｅ）の最大横幅寸法Ｗ５）よりも大きく設定されている（Ｗ３＞Ｗ４＞Ｗ５）。
また、図８の（Ｅ）及び（Ｆ）に示すように、第２リム通水路２８の屈曲通水路２８ｃのＥ断面の最大横幅寸法Ｗ５（図８の（Ｅ）の最大横幅寸法Ｗ５）は、第２リム通水路２８の内側通水路２８ｄのＦ断面の最大横幅寸法Ｗ６（図８の（Ｆ）の最大横幅寸法Ｗ６）よりも大きく設定されている（Ｗ５＞Ｗ６）。
さらに、図８の（Ｆ）及び（Ｇ）に示すように、第２リム通水路２８の内側通水路２８ｄのＦ断面の最大横幅寸法Ｗ６（図８の（Ｆ）の最大横幅寸法Ｗ６）は、第２リム通水路２８の内側通水路２８ｄの下流端に位置するＧ断面（第２リム吐水口２２の開口断面に相当）の最大横幅寸法Ｗ７（図８の（Ｇ）の最大横幅寸法Ｗ７）よりも大きく設定されている（Ａ６＞Ａ７）。
すなわち、第２リム通水路２８の外側通水路２８ｂ、屈曲通水路２８ｃ、内側通水路２８ｄ、及び、第２リム吐水口２２のそれぞれについては、その上流側の通水路よりも流路断面の最大横幅寸法が小さく設定されており（Ｗ３＞Ｗ４＞Ｗ５＞Ｗ６＞Ｗ７）、第２リム通水路２８の最大横幅寸法は、概ね下流側程小さく設定されている。
【００３９】
つぎに、図８の（Ａ）及び（Ｇ）に示すように、第２リム吐水口２２の開口断面Ｇの断面積Ａ７は、第１リム吐水口２０の開口断面Ｂの断面積Ａ２よりも小さく設定されている（Ａ７＜Ａ２）。
また、図８の（Ａ）及び（Ｇ）に示すように、第２リム吐水口２２の開口断面Ｇの最大横幅寸法Ｗ７は、第１リム吐水口２０の開口断面Ｂの最大横幅寸法Ｗ２よりも小さく設定されている（Ｗ７＜Ｗ２）。
これらにより、第１リム吐水口２０から吐水される洗浄水量が第２リム吐水口２２から吐水される洗浄水量よりも大きくなるように設定されている。
ここで、第１リム吐水口２０の開口断面Ｂの断面積Ａ２と第２リム吐水口２２の開口断面Ｇの断面積Ａ７との面積比率（Ａ２：Ａ７）は、７０：３０〜９０：１０に設定されることが好ましく、７５：２５〜８５：１５に設定されることがより好ましい。
【００４０】
さらに、図８の（Ａ）及び（Ｂ）に示すように、第１リム通水路２６のＡ断面及び第１リム吐水口２０の開口断面Ｂのそれぞれについては、各最大横幅寸法Ｗ１，Ｗ２が各最大縦幅寸法Ｈ１，Ｈ２よりも小さく設定されており（Ｗ１＜Ｈ１、Ｗ２＜Ｈ２）、概ね縦長の形状となっている。
同様に、図８の（Ｃ）〜（Ｇ）に示すように、第２リム通水路２８のＡ断面〜Ｆ断面及び第２リム吐水口２２の開口断面Ｇのそれぞれについても、各最大横幅寸法Ｗ３〜Ｗ７が各最大縦幅寸法Ｈ３〜Ｈ７よりも小さく設定されており（Ｗ３＜Ｈ３、Ｗ４＜Ｈ４、Ｗ５＜Ｈ５、Ｗ６＜Ｈ６、Ｗ７＜Ｈ７）、概ね縦長の形状となっている。
【００４１】
つぎに、図１〜図１０を参照して、本発明の一実施形態による水洗大便器１の作用について説明する。
図９は、本発明の一実施形態による水洗大便器のボウル部内の洗浄水の流れを概略的に説明した概略平面図である。また、図１０は、本発明の一実施形態による水洗大便器のボウル部内の洗浄水の流れを概略的に説明した概略正面断面図である。
まず、図９に示すように、便器洗浄が開始され、貯水タンク１０内の洗浄水が便器本体２の導水路４の入口４ａから共通通水路２４に供給される。
そして、共通通水路２４内の洗浄水（図９の流れｆ０）は、第１リム通水路２６及び第２リム通水路２８のそれぞれに分岐し、下流側の第１リム吐水口２０及び第２リム吐水口２２のそれぞれに供給された後、周方向下流側に吐水される。
【００４２】
ここで、図９に示すように、第１リム吐水口２０から比較的大流量で吐水された洗浄水（流れｆ１）は、その前方の棚部１６上に沿って下流側に流れる。そして、ボウル面Ｓ（汚物受け面１４の全面Ｓ２）上を周方向下流側に旋回する。これにより、汚物受け面１４の全面Ｓ２上に旋回流ｆ１（いわゆる、「横旋回流」）が形成される。この洗浄水ｆ１（図９参照）は、ボウル面Ｓ（汚物受け面１２等）を全周に亘って旋回し、ボウル面Ｓの全域を洗浄した後、ボウル部６の凹部１２内に流れ込む。そして、ボウル部６内の水の落差による流水作用で汚物が排水トラップ管路８内に押し流される。
一方、図９及び図１０に示すように、第２リム吐水口２２から吐水された洗浄水（流れｆ２）は、旋回流ｆ１の旋回方向と同一方向に棚部１６上に沿って下流側に流れる。そして、ボウル部６の後方側領域Ｒ内のボウル面Ｓ（汚物受け面１４）において、その大半の洗浄水ｆ３が、ボウル部６の後方側領域Ｒ且つ左側領域Ｌ内のボウル面Ｓ（汚物受け面１４の後方側領域Ｂ且つ左側領域Ｌ）に流れた後、ボウル部６の凹部１２内の溜水Ｗ０に向けて側方（前方から見て左側）から落とし込む流れｆ３が形成される。
また、図９及び図１０に示すように、第２リム吐水口２２から吐水された洗浄水の一部は、汚物受け面１４の後方側領域Ｂに到達すると、ボウル部６の凹部１２内の溜水Ｗ０に向けて後方側から落とし込む流れｆ４が形成される。
そして、図９及び図１０に示すように、ボウル部６の凹部１２内においては、これらの洗浄水の流れｆ３，ｆ４により、縦方向に旋回する旋回流ｆ５（いわゆる、「縦旋回流」）が形成される。これにより、ボウル部６の凹部１２内の溜水Ｗ０が強力に攪拌された後、ボウル部６の凹部１２内の水の落差による流水作用で汚物が排水トラップ管路８内に押し流される。
【００４３】
上述した本発明の一実施形態による水洗大便器１によれば、貯水タンク１０から供給された洗浄水は、第１リム通水路２６により第１リム吐水口２０に導かれると共に、第２リム通水路２８により第２リム吐水口２２に導かれる。そして、第１リム吐水口２０及び第２リム吐水口２２のそれぞれから棚部１６上に洗浄水が吐水される。
ここで、一般的には、ボウル部のボウル面の曲率半径が比較的小さい位置の棚部上に沿って流れる洗浄水の流れは、ボウル部のボウル面の曲率半径が比較的大きい位置の棚部上に沿って流れる場合に比べて、急激な方向転換が強いられることになり、洗浄水の流れのエネルギーロスが大きくなる。
しかしながら、本実施形態によれば、第１リム吐水口２０については、ボウル部６の前後方向の中心Ｏに対して一方側（左側領域Ｌ）のボウル部６のボウル面Ｓの外縁部分θの曲率半径ρが比較的大きい曲率半径ρ１から比較的小さい曲率半径ρ２に変化する位置Ｐ２（図６参照）の近傍に配置されている。このため、第１リム吐水口２０から吐水された洗浄水ｆ１（図９参照）は、吐水直後の比較的大きなエネルギーが維持された状態で、棚部１６上を周方向下流側に流れる。
これにより、この比較的大きなエネルギーが維持された状態の洗浄水ｆ１について、第１リム吐水口２０の周方向下流側（前方側）のボウル部６のボウル面Ｓの曲率半径ρが最小となる位置（ボウル部６のボウル面Ｓの前端付近）の棚部１６上に供給することができる。
そして、このようなボウル部６のボウル面Ｓの曲率半径ρが最小となる位置（ボウル部６のボウル面Ｓの前端付近）の棚部１６上の洗浄水ｆ１について、ボウル面Ｓの周方向下流側（例えば、ボウル部６のボウル面Ｓの周方向後方側）に確実に旋回させることができ、その後、ボウル面Ｓの全周（汚物受け面１４の全面Ｓ２）に亘って下流側に旋回させることができる。
【００４４】
一方、第２リム吐水口２２についても、ボウル部６の前後方向の中心Ｏに対して他方側（右側領域Ｒ）のボウル部６のボウル面Ｓの曲率半径ρが比較的大きい曲率半径ρ３から比較的小さい曲率半径ρ４に変化する位置Ｐ４（図６参照）の近傍に配置されている。このため、第２リム吐水口２２から吐水された洗浄水ｆ２（図９及び図１０参照）は、吐水直後の比較的大きなエネルギーが維持された状態で、棚部１６上を周方向下流側（後方側）に流れる。
これにより、この比較的大きなエネルギーが維持された状態の洗浄水ｆ２について、第２リム吐水口２２の周方向下流側（後方側）のボウル部６のボウル面Ｓの外縁部分θの曲率半径ρが最小となる位置（ボウル部６のボウル面Ｓの後端付近）の棚部１６上に供給することができる。
そして、第２リム吐水口２２から吐水された洗浄水ｆ２の大半については、ボウル部６のボウル面Ｓの曲率半径が小となる位置（ボウル部６のボウル面Ｓの後端付近）から周方向下流側（ボウル部６の左側領域Ｌ且つ後方側領域Ｂ）内のボウル面Ｓに旋回した後、ボウル部６の凹部１２内の溜水Ｗ０に向けて、側方から落し込む流れｆ３（図１０参照）を形成することができる。これにより、第２リム吐水口２２の下流側のボウル部６の後方側領域Ｂ内のボウル面Ｓを洗浄した後、ボウル部６の凹部１２内の溜水Ｗ０を強力に攪拌する縦旋回流ｆ５（図１０参照）を形成することができる。
同時に、ボウル部６のボウル面Ｓの曲率半径ρが最小となる位置（ボウル部６のボウル面Ｓの後端付近）において洗浄水ｆ２の一部について、確実に失速させて、ボウル部６の凹部１２内の溜水Ｗ０に向けて、後方から落とし込む流れｆ４（図１０参照）を形成することができる。
これにより、第２リム吐水口２２の下流側のボウル部６の後方側領域Ｂのボウル面Ｓを洗浄した後、ボウル部６の凹部１２内の溜水Ｗ０を強力に攪拌する縦旋回流ｆ５（図１０参照）を形成し、効率良く攪拌することができる。
したがって、第１リム吐水口２０から吐水された洗浄水ｆ１により、ボウル面Ｓの全周（汚物受け面１４の全面Ｓ２）を確実に旋回してボウル面Ｓの全域を確実に洗浄することができる。
同時に、第２リム吐水口２２から吐水された洗浄水ｆ２により、第２リム吐水口２２の下流側のボウル部６内の後方側領域Ｂのボウル面Ｓを確実に洗浄した後、ボウル部６の凹部１２内の溜水Ｗ０を確実に強力に攪拌することができる。
【００４５】
さらに、本実施形態では、第１リム吐水口２０について、ボウル部６の前後方向の中心Ｏに対して一方側（左側領域Ｌ）のボウル部６のボウル面Ｓの外縁部分θの曲率半径ρが比較的大きい曲率半径ρ１から比較的小さい曲率半径ρ２に変化する位置Ｐ２（図６参照）の近傍に配置した。これと共に、第２リム吐水口２２について、ボウル部６の前後方向の中心Ｏに対して他方側（右側領域Ｒ）のボウル部６のボウル面Ｓの外縁部分θの曲率半径ρが比較的大きい曲率半径ρ３から比較的小さい曲率半径ρ４に変化する位置Ｐ４（図６参照）の近傍に配置した。
これらにより、第１リム吐水口２０について、ボウル部６の前後方向の中心Ｏに対して一方側（左側領域Ｌ且つ前方側領域Ｆ）のボウル部６の前方寄りの位置に配置することができると共に、第２リム吐水口２２について、ボウル部６の前後方向の中心Ｏに対して他方側（右側領域Ｒ且つ後方側領域Ｂ）のボウル部６の側方寄りの位置Ｑ１（図７参照）に配置することができる。
したがって、図５に示すように、水洗大便器１の前方の使用者に対して、ボウル部６内の第１リム吐水口２０及び第２リム吐水口２２のそれぞれが見え難くなるため、意匠性を向上させることができる。
以上より、第１リム吐水口２０及び第２リム吐水口２２の２つのリム吐水口により、ボウル部６のボウル面Ｓの洗浄性能と溜水Ｗ０の攪拌性能を高めることができると共に、意匠性を向上させることができる水洗大便器１を提供することができる。
【００４６】
つぎに、本実施形態による水洗大便器１によれば、図７に示すように、第２リム吐水口２２がボウル部６内の溜水面ＷＬの後端よりも前方に配置されているため、第２リム吐水口２２からボウル部６のボウル面Ｓの曲率半径ρが小となる位置（ボウル部６のボウル面Ｓの後端付近）に至るまでの区間Ｃの一部について、ボウル面Ｓの曲率半径ρを比較的大きい曲率半径（例えば、図７の曲率半径ρ５）で確保することができる。これにより、図７に示すように、第２リム吐水口２２から棚部１６の棚面上に沿ってボウル面Ｓの後端に至る区間Ｃについて、ある程度の距離を確保することができる。
したがって、図７、図９及び図１０に示すように、第２リム吐水口２２から吐水された直後の洗浄水ｆ２について、ボウル面Ｓの曲率半径ρが比較的大きい曲率半径ρ５の部分の棚部１６を通過させて、比較的大きなエネルギーが維持された状態で、ボウル面Ｓの曲率半径が小となる位置（ボウル部６のボウル面Ｓの後端付近）に供給することができる。
よって、第２リム吐水口２２から吐水された洗浄水ｆ２について、ボウル部６のボウル面Ｓの後端付近のリム部１８の内周面等に勢い良くぶつけて、ボウル部６の凹部１２内の溜水Ｗ０に向けて跳ね返すことができるため、ボウル部６の凹部１２内の溜水Ｗ０を縦旋回流ｆ５（図１０参照）でより確実に攪拌させることができる。
また、第２リム吐水口２２がボウル部６内の右側領域Ｒ且つ後方側領域Ｂの側方に配置することができるため、図５に示すように、水洗大便器１の前方の使用者から第２リム吐水口２２を見え難くすることができ、水洗大便器１の意匠性をより向上させることができる。
【００４７】
また、本実施形態による水洗大便器１によれば、仮に、第２リム吐水口２２が後方以外の方向（例えば、側方等）に差し向けられていた場合、第２リム吐水口２２から吐水された洗浄水は、後方側に旋回することなく、ボウル部６の凹部１２内の溜水面ＷＬに直接流れ落ちてしまうことになる。
しかしながら、本実施形態によれば、第２リム吐水口２２が後方に差し向けられているため、第２リム吐水口２２から吐水された洗浄水ｆ２について、確実に後方側に導くことができる。これにより、第２リム吐水口２２から吐水された洗浄水ｆ２について、棚部１６上に沿って、ボウル面Ｓの曲率半径が小となる位置（ボウル部６のボウル面Ｓの後端付近）の汚物受け面１４、棚部１６、及びリム部１８等に確実に洗浄水を供給することができる。
また、図５に示すように、第２リム吐水口２２が後方に差し向けられているため、水洗大便器の前方の使用者の目に入り難くなり、意匠性をさらに向上させることができる。
【００４８】
さらに、上述した本実施形態の水洗大便器１以外においては、一般的には、第２リム通水路の途中で方向転換した後に第２リム吐水口で吐水され、上流側から第２リム通水路内に流入する洗浄水の給水方向と、第２リム吐水口で吐水される洗浄水の吐水方向とが異なる方向となる場合、第２リム通水路の途中の方向転換の際に、異なる流れ方向の洗浄水が衝突することにより乱流が生じ、洗浄水の流れの無駄なエネルギーロスを生じ易い。
これに対し、上述した本実施形態の水洗大便器１によれば、図９に示すように、上流側から第２リム通水路２８内に流入した洗浄水ｆ２は、ボウル部６の前方に向かって流れた後、Ｕターン部Ｕにおいて後方に向かって滑らかにＵターンすることができ、第２リム吐水口２２にスムーズに流れることができる。
したがって、第２リム通水路２８内において洗浄水ｆ２の乱流の発生を抑制することができ、洗浄水の流れの無駄なエネルギーロスを抑制することができる。よって、第２リム吐水口２２から吐水された洗浄水ｆ２について、確実にボウル面Ｓの後方側に旋回させることができると共に、ボウル部６の凹部１２内の溜水Ｗ０について縦旋回流ｆ５（図１０参照）によりさらに確実に攪拌させることができる。
【００４９】
また、本実施形態による水洗大便器１によれば、上流側から第２リム通水路２８内に流入した洗浄水ｆ２は、外側通水路２８ｂ内を前方に向かって流れた後、屈曲通水路２８ｃにより後方に向かって滑らかにＵターンして、内側通水路２８ｄから第２リム吐水口２２にスムーズに流れることができる。
したがって、第２リム通水路２８内において洗浄水ｆ２の乱流の発生を抑制し、洗浄水の流れの無駄なエネルギーロスを抑制することができる。よって、第２リム吐水口２２から吐水された洗浄水ｆ２について、確実にボウル面Ｓの後方側領域Ｂに旋回流ｆ（図９及び図１０参照）で旋回させることができると共に、ボウル部６の凹部１２内の溜水Ｗ０に落とし込む流れｆ４を形成し、その後縦旋回流ｆ５でさらにより確実に攪拌させることができる。
【００５０】
さらに、本実施形態による水洗大便器１によれば、外側通水路２８ｂ、屈曲通水路２８ｃ、及び、内側通水路２８ｄのそれぞれが、その上流側の通水路よりも流路断面積（図８の（Ｃ）〜（Ｇ）の断面積Ａ３〜Ａ７参照）が小さく設定されている（Ａ３＞Ａ４＞Ａ５＞Ａ６＞Ａ７）。これにより、第２リム通水路２８は、上流側の外側通水路２８ｂから屈曲通水路２８ｃを経た後、下流側の内側通水路２８ｄから第２リム吐水口２２まで下流側の流路程、流路断面を狭くすることができる。
したがって、洗浄水が上流側から第２リム通水路２８内に流入してから第２リム吐水口２２で吐水されるまでの第２リム通水路２８内の洗浄水ｆ２の流れを縮流させて、整流化することができる。
また、第２リム吐水口２２から流速を高めた状態で洗浄水ｆ２を勢いよく吐水し、ボウル面Ｓの曲率半径ρが最小となる位置（ボウル部６のボウル面Ｓの後端付近）に供給することができるため、第２リム吐水口２２から吐水された洗浄水ｆ２の大半の洗浄水ｆ３をさらにより確実にボウル面Ｓの後方側に旋回させることができる。同時に、洗浄水ｆ２の一部の洗浄水ｆ４（図９及び図１０参照）をボウル部６の凹部１２内の溜水Ｗ０に落とし込み、その後、縦旋回流ｆ５（図１０参照）を形成して、凹部１２内の洗浄水をさらにより確実に強力に攪拌することができる。
【００５１】
また、本実施形態による水洗大便器１によれば、外側通水路２８ｂ、屈曲通水路２８ｃ、及び、内側通水路２８ｄのそれぞれが、その上流側の通水路よりも横幅寸法（図８の（Ｃ）〜（Ｇ）の断面Ｃ〜Ｇの最大横幅寸法Ｗ３〜Ｗ７参照）が小さく設定されている（Ｗ３＞Ｗ４＞Ｗ５＞Ｗ６＞Ｗ７）。これにより、第２リム通水路２８は、上流側の外側通水路２８ｂから屈曲通水路２８ｃを経た後、下流側の内側通水路２８ｄから第２リム吐水口２２まで下流側に向かって徐々に流路断面Ｃ〜Ｇにより狭くすることができる。
したがって、リム部１８の内部に形成される第２リム通水路２８に要する横幅方向のスペースを抑制することができるため、リム部１８の内部の限られたスペースに第２リム通水路２８を効率良く形成することができる。これにより、上流側から第２リム通水路２８内に流入した洗浄水ｆ２について、外側通水路２８ｂから屈曲通水路２８ｃを経て内側通水路２８ｄまでのＵターン部Ｕ（図７及び図９参照）で縮流させて、滑らかにＵターンさせることができ、第２リム吐水口２２において勢いよく吐水させることができる。
【００５２】
さらに、本実施形態による水洗大便器１によれば、第２リム吐水口２２の流路断面積（図８の（Ｇ）の断面積Ａ７参照）が、第１リム吐水口２０の流路断面積（図８の（Ｂ）の断面積Ａ２参照））よりも小さく設定されている（Ａ７＜Ａ２）。このため、第１リム通水路２６内の洗浄水ｆ１（図９参照）を第１リム吐水口２０から比較的大流量で吐水して、ボウル面Ｓ（汚物受け面１２等）を全周に亘って旋回させてボウル面Ｓの全域を確実に洗浄することができる。
同時に、第２リム通水路２８内の洗浄水ｆ２を第２リム吐水口２２から比較的小流量で勢いよく吐水することができ、ボウル部６の凹部１２内の溜水Ｗ０に洗浄水ｆ３，ｆ４（図９及び図１０参照）を確実に供給した後、縦旋回流ｆ５で凹部１２内の溜水Ｗ０を確実に強力に攪拌することができる。
【００５３】
また、本実施形態による水洗大便器１によれば、図６に示すように、第１リム吐水口２０については、ボウル部６の前後方向の中心Ｏに対して一方側（左側領域Ｌ）のボウル部６のボウル面Ｓの外縁部分θの曲率半径ρが大きい曲率半径ρ１から小さい曲率半径ρ２に変化する位置Ｐ２の前方側近傍（ボウル部６の左側領域Ｌ且つ前方側領域Ｆの前方寄りの位置）に配置されている。これにより、図５に示すように、水洗大便器１の前方の使用者から見え難いため、第１リム吐水口２０の開口断面Ｂの最大横幅寸法Ｗ２（図８の（Ｂ）参照）を比較的大きく設定することができる。
したがって、第１リム通水路２６内及び第１リム吐水口２０の外周側の面に沿って流れる洗浄水量を比較的大きく設定することができ、遠心力を高めることができる。よって、第１リム吐水口２０から吐水された洗浄水ｆ１（図９参照）について、ボウル面Ｓの全周亘って確実に旋回させることができる。
一方、第２リム吐水口２２については、ボウル部６の前後方向の中心Ｏに対して他方側（右側領域Ｒ）のボウル部６のボウル面Ｓの外縁部分θの曲率半径ρが大きい曲率半径ρ３から小さい曲率半径ρ４に変化する位置Ｐ４の前方側近傍（ボウル部６の右側領域Ｒ且つ後方側領域Ｂの側方寄りの位置）に配置されている。このため、第２リム吐水口２２の開口断面Ｇの最大横幅寸法Ｗ７（図８の（Ｇ）参照）を第１リム吐水口２０の開口断面Ｂの最大横幅寸法Ｗ２（図８の（Ｂ）参照）よりも小さく設定することにより（Ｗ７＜Ｗ２）、第２リム吐水口２２の開口断面Ａ７の形状を縦長に設定することができる。
したがって、図５に示すように、第２リム吐水口２２について、水洗大便器１の前方の使用者に対して目に付き難くすることができる。
【００５４】
さらに、本実施形態による水洗大便器１によれば、図８の（Ｇ）に示すように、第２リム吐水口２２の開口断面Ｇの最大横幅寸法Ｗ７が最大縦幅寸法Ｈ７よりも小さく設定されている（Ｗ７＜Ｈ７）。このため、第２リム吐水口２２の開口断面Ｇの断面形状を縦長に設定することができる。
したがって、図５に示すように、第２リム吐水口２２について、水洗大便器の前方の使用者に対して目に付き難くすることができる。
【００５５】
なお、上述した本実施形態による水洗大便器１においては、いわゆる、「洗い落し式の水洗大便器」の形態に適用した例について説明したが、洗い落し式の水洗大便器以外の形態の水洗大便器に対しても適用可能である。
すなわち、洗い落し式の水洗大便器以外の形態の水洗大便器として、サイホン作用を利用してボウル部内の汚物を吸い込んで排水トラップ管路から一気に外部に排出する、いわゆる、「サイホン式の水洗大便器」等に対しても適用可能である。
【符号の説明】
【００５６】
１        水洗大便器
２        便器本体
４        導水路
４ａ      導水路の入口
６        ボウル部
８        排水トラップ管路（排水路）
８ａ      排水トラップ管路の入口
８ｂ      排水トラップ管路の下降路
８ｃ      排水トラップ管路の上昇路
１０        貯水タンク（洗浄水源）
１２        凹部（溜水部）
１２ａ      凹部の底壁面
１２ｂ      凹部の側壁面
１２ｃ      凹部の後壁面
１４        汚物受け面
１６        棚部
１８        リム部
２０        第１リム吐水口（第１吐水部）
２２        第２リム吐水口（第２吐水部）
２４        共通通水路
２６        第１リム通水路（第１通水路）
２８        第２リム通水路（第２通水路）
２８ａ      第２リム通水路の入口（第２通水路の入口）
２８ｂ      第２リム通水路の外側通水路（第２通水路の外側通水路）
２８ｃ      第２リム通水路の屈曲通水路（第２通水路の屈曲通水路）
２８ｄ      第２リム通水路の内側通水路（第２通水路の内側通水路）
Ａ１      第１リム通水路のＡ断面の流路断面積
Ａ２      第１リム通水路のＢ断面（第１リム吐水口の開口断面）の流路断面積
Ａ３      第２リム通水路のＣ断面の流路断面積
Ａ４      第２リム通水路のＤ断面の流路断面積
Ａ５      第２リム通水路のＥ断面の流路断面積
Ａ６      第２リム通水路のＦ断面の流路断面積
Ａ７      第２リム通水路のＧ断面（第２リム吐水口の開口断面）の流路断面積
Ｂ        ボウル部の後方側領域
Ｃ        第２リム吐水口から棚部に沿ってボウル面の後端に至るまでの区間
Ｌ        ボウル部の左側領域
Ｍ        汚物受け面と凹部との境界線
Ｆ        ボウル部の前方側領域
ｆ０      共通通水路の洗浄水の流れ
ｆ１      第１リム吐水口から吐水された洗浄水の流れ（旋回流）
ｆ２      第２リム吐水口から吐水された洗浄水の流れ
ｆ３      第２リム吐水口から吐水された洗浄水の大半の流れ
ｆ４      第２リム吐水口から吐水された洗浄水の一部の流れ
ｆ５      縦旋回流
Ｈ１      第１リム通水路のＡ断面の最大縦幅寸法
Ｈ２      第１リム通水路のＢ断面の最大縦幅寸法
Ｈ３      第２リム通水路のＣ断面の最大縦幅寸法
Ｈ４      第２リム通水路のＤ断面の最大縦幅寸法
Ｈ５      第２リム通水路のＥ断面の最大縦幅寸法
Ｈ６      第２リム通水路のＦ断面の最大縦幅寸法
Ｈ７      第２リム通水路のＧ断面（第２リム吐水口の開口断面）の最大縦幅寸法
Ｏ        ボウル部の中心
Ｐ１      ボウル面の第１外縁部分の始端位置及び第４外縁部分の終端位置
Ｐ２      ボウル面の第１外縁部分の終端位置及び第２外縁部分の始端位置
Ｐ３      ボウル面の第２外縁部分の終端位置及び第３外縁部分の始端位置
Ｐ４      ボウル面の第３外縁部分の終端位置及び第４外縁部分の始端位置
Ｑ１      第２リム吐水口の前後方向の位置
Ｑ２      凹部の後端位置（ボウル部の凹部内の後壁面の上端位置）
Ｑ３      溜水面の後端位置
Ｒ        ボウル部の右側領域
Ｓ        ボウル面
Ｓ１      凹部内の壁面
Ｓ２      汚物受け面の全面
Ｓ３      棚部の表面（棚面）
Ｓ４      リム部の内周面
Ｕ        第２リム通水路のＵターン部
Ｗ０      溜水
Ｗ１      第１リム通水路のＡ断面の最大横幅寸法
Ｗ２      第１リム通水路のＢ断面の最大横幅寸法
Ｗ３      第２リム通水路のＣ断面の最大横幅寸法
Ｗ４      第２リム通水路のＤ断面の最大横幅寸法
Ｗ５      第２リム通水路のＥ断面の最大横幅寸法
Ｗ６      第２リム通水路のＦ断面の最大横幅寸法
Ｗ７      第２リム通水路のＧ断面（第２リム吐水口の開口断面）の最大横幅寸法
ＷＬ      溜水の水位（溜水面）
Ｘ        ボウル部の水平左右方向の中心軸線
Ｙ        ボウル部の水平前後方向の中心軸線
Ｚ        ボウル部の中心を通る鉛直方向の中心軸線
θ        平面視のボウル部のボウル面の外縁部分
θ１      平面視のボウル部のボウル面の第１外縁部分
θ２      平面視のボウル部のボウル面の第２外縁部分
θ３      平面視のボウル部のボウル面の第３外縁部分
θ４      平面視のボウル部のボウル面の第４外縁部分
ρ        平面視のボウル部のボウル面の外縁部分の曲率半径
ρ１      平面視のボウル部のボウル面の第１外縁部分の曲率半径
ρ２      平面視のボウル部のボウル面の第２外縁部分の曲率半径
ρ３      平面視のボウル部のボウル面の第３外縁部分の曲率半径
ρ４      平面視のボウル部のボウル面の第４外縁部分の曲率半径
ρ５      平面視のボウル部のボウル面の外縁部分における第２リム吐水口からボウル面の後端付近に至るまでの区間の曲率半径
【図１】
2019065529.tif 000003
【図２】
2019065529.tif 000004
【図３】
2019065529.tif 000005
【図４】
2019065529.tif 000006
【図５】
2019065529.tif 000007
【図６】
2019065529.tif 000008
【図７】
2019065529.tif 000009
【図８】
2019065529.tif 000010
【図９】
2019065529.tif 000011
【図１０】
2019065529.tif 000012